【手続補正書】
【提出日】平成29年7月12日(2017.7.12)
【手続補正１】
【補正対象書類名】特許請求の範囲
【補正対象項目名】請求項５
【補正方法】変更
【補正の内容】
【請求項５】
前記組込部材のうち前記セラミックス繊維強化層以外の芯部分は、前記セラミックス繊維強化複合材料で一体的に形成され且つそのセラミックス繊維が実質的に交差するマトリックス構造を有し、前記セラミックス繊維強化層における前記セラミックス繊維の前記繊維配向性は、前記芯部分よりも相対的に高いことを特徴とする請求項１乃至４のいずれか１項に記載の光量調整装置用の組込部材。
【手続補正２】
【補正対象書類名】特許請求の範囲
【補正対象項目名】請求項７
【補正方法】変更
【補正の内容】
【請求項７】
前記セラミックス繊維強化層が設けられた前記組込部材のうち少なくとも前記セラミックス繊維強化層からなる表面上には、保護膜が設けられていることを特徴とする請求項１乃至６のいずれか１項に記載の光量調整装置用の組込部材。
【手続補正３】
【補正対象書類名】明細書
【補正対象項目名】発明の名称
【補正方法】変更
【補正の内容】
【発明の名称】光量調整装置用の組込部材、及び光量調整装置、並びに光学機器
【手続補正４】
【補正対象書類名】明細書
【補正対象項目名】０００１
【補正方法】変更
【補正の内容】
【０００１】
本発明は、カメラ等の撮像装置において搭載される光量調整装置の少なくとも一部の構成として組み込まれる組込部材、及びこの組込部材を備えた光量調整装置、並びにこの光量調整装置を備えた光学機器に関する。
【手続補正５】
【補正対象書類名】明細書
【補正対象項目名】０００２
【補正方法】変更
【補正の内容】
【０００２】
従来から、例えば、絞り装置などの光量調整装置では、光通過開口としての絞り開口の形状を多数枚の絞り羽根（光量調整羽根）によって形成する構成が知られている（特許文献１参照）。この特許文献１では、台座に形成した固定開口の周囲で回動可能な駆動リングにより多数枚の絞り羽根を回動させる構成が開示されている。
【手続補正６】
【補正対象書類名】明細書
【補正対象項目名】０００５
【補正方法】変更
【補正の内容】
【０００５】
本発明は、摺動性能を向上した光量調整装置用の組込部材及び光量調整装置並びにこれを備えた光学機器を提供する。
【手続補正７】
【補正対象書類名】明細書
【補正対象項目名】００１２
【補正方法】変更
【補正の内容】
【００１２】
また、上記本発明では、前記セラミックス繊維強化層が設けられた前記組込部材のうち少なくとも前記セラミックス繊維強化層からなる表面上には、保護膜が設けられていることを特徴とする。このような本発明の態様によれば、セラミックス繊維強化層の繊維配向が面方向に配向し、その表面上においてセラミックス繊維の端部が突出する割合が低減されることから、その上から形成する摺動性向上のための保護膜の膜厚を薄く形成することが可能となる。
【手続補正８】
【補正対象書類名】明細書
【補正対象項目名】００１６
【補正方法】変更
【補正の内容】
【００１６】
本発明によれば、摺動性能を向上した光量調整装置用の組込部材及び光量調整装置並びにこれを備えた光学機器を提供することが可能となる。
【手続補正９】
【補正対象書類名】明細書
【補正対象項目名】００３６
【補正方法】変更
【補正の内容】
【００３６】
例えば、駆動リング１を回転させるにつれて駆動リング１と保持部材２との間で生じる摩擦から駆動リング１の表面側でセラミックス繊維強化層１００の樹脂部分が削れたとしても、残ったセラミックス繊維はその面方向に配向していることから、保持部材２とセラミックス繊維の長手方向に沿った外周面とが実質的に摺接することになる。つまり、セラミックス繊維強化層１００の表面に出現した各セラミックス繊維の外周面が摺接面となって、駆動リング１と保持部材２との間で駆動リング１の高い摺動性能を長期に亘って維持することが可能となる。また、セラミックス繊維強化層１００の表面に塗装によって保護膜を形成した場合には、使用開始当初は保護膜の表面が摺接面となり、保護膜が削れた後は、セラミックス繊維強化層の表面（樹脂表面）が摺接面となり、その後、樹脂表面が削れた後は、セラミックス繊維の外周面が出現した面が摺接面となる。なお、保護膜を設けない場合は、セラミックス繊維強化層１００の表面が摺接面となる。
【手続補正１０】
【補正対象書類名】明細書
【補正対象項目名】００４９
【補正方法】変更
【補正の内容】
【００４９】
＜比較例５＞
比較例５の駆動リングとして、ポリカーボネート樹脂にガラス繊維を２０重量％添加して得られた材料を使用して駆動リング（塗装なし）を作製し、ポリカーボネート樹脂にガラス繊維を２０重量％添加して得られた材料を保持部材に用いて、上述の光量調整装置に組み込み、絞り動作耐久試験を行った。この結果、表１に示すように、５万回動作で駆動リング、保持部材共に摩耗し材料が削れた。
【手続補正１１】
【補正対象書類名】明細書
【補正対象項目名】００５３
【補正方法】変更
【補正の内容】
【００５３】
詳細には、本実施形態では、駆動リング１０の環状突起部１１の表面がセラミックス繊維強化層１００によって構成されている。一方、保持部材２０には、開口部２０ａの内周面２０ｂにおいて実質的に等間隔で７箇所の凸部２０ｃが設けられている。各凸部２０ｃは、開口部２０ａの内周面２０ｂから光通過経路側に向かって突出して設けられ、その表面はＲ面となっている。そして、本実施形態においては、駆動リング１０を回転させると、駆動リング１０の環状突起部１１が保持部材２０の凸部２０ｃに摺接する。このとき、本実施形態では、この環状突起部のうち凸部２０ｃに摺接する側の表面を構成する部分が、セラミックス繊維強化層１００によって構成させているため、上述した実施形態１と同様に、高い摺動性能を得ることが可能となる。
【手続補正１２】
【補正対象書類名】明細書
【補正対象項目名】００５５
【補正方法】変更
【補正の内容】
【００５５】
詳細には、本実施形態では、駆動リング１０の環状突起部１１の表面がセラミックス繊維強化層１００によって構成されている。そして、本実施形態では、駆動リング１０の環状突起部１１と、保持部材２の内周面２ｂとが面接触で摺接する。この場合でも、本実施形態では、この環状突起部１１のうち保持部材２の内周面２ｂに摺接する側の表面を構成する部分が、セラミックス繊維強化層１００によって構成させているため、上述した実施形態１または２と同様に、高い摺動性能を得ることが可能となる。
【手続補正１３】
【補正対象書類名】明細書
【補正対象項目名】００５６
【補正方法】変更
【補正の内容】
【００５６】
（他の実施形態）
以上本発明を各実施形態１〜３に基づいて詳細に説明したが、本発明は上述した各実施形態１〜３に限定されるものではない。例えば、上述した実施形態１では、駆動リング１側においてセラミックス繊維強化層１００を適用した場合について説明したが、本発明は勿論これに限定されず、例えば、保持部材２のうち駆動リング１と接触する部分において少なくともセラミックス繊維強化層１００を適用してもよく、実施形態２、３においてもこれを適用してもよい。
【手続補正１４】
【補正対象書類名】明細書
【補正対象項目名】００５７
【補正方法】変更
【補正の内容】
【００５７】
また、上述した実施形態１では、駆動リング１と保持部材２のうち片方の駆動リング１に対してセラミックス繊維強化層１００を適用した場合について説明したが、本発明は勿論これに限定されず、例えば、駆動リング１及び保持部材２の両方において相互に接触する部分のそれぞれにセラミックス繊維強化層１００を適用してもよい。
【手続補正１５】
【補正対象書類名】明細書
【補正対象項目名】００５８
【補正方法】変更
【補正の内容】
【００５８】
なお、上述したセラミックス繊維強化層１００は、光量調整装置の組込部材間で摺接する部分だけに適宜設けてもよいし、組込部材の全体をセラミックス繊維強化複合材料によって形成してもよい。